【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
詳細案内図データにより案内される所定の施設の種類もしくは分類に関連する図案と共に二次元コードパターンが隙間の生じるように分割して印刷されており、
上記二次元コードパターンの分割された部分もしくは全体を携帯端末で読み取ると、設置される地域の周辺の地理を示す広域地図データであってその地図内に所在する所定の施設の所在地に連番の番号が描画される上記広域地図データと、その広域地図データ内に表示される複数の上記番号と上記施設の名称とを対応付けたリストとを有するサーバ装置から、上記広域地図データおよび上記リストが上記携帯端末へ送信されるように要求する情報がコード化されていることを特徴とする二次元コードを有するシート。
【請求項２】
請求項１に記載のシートにおいて、
前記二次元コードパターンの分割された部分もしくは全体が、ビルの屋上から吊り下げられる垂れ幕に印刷されて構成されていることを特徴とする二次元コードを有するシート。
【請求項３】
ネットワークを介して表示部を有する携帯端末と通信する通信手段と、
店舗、施設、構造物などの所定の施設への道案内図あるいは地域案内図を有する詳細案内図データと、
上記詳細案内図データによる上記所定の施設の所在地が含まれる広域の地図、並びに、その地図内に所在する所定の施設の上記詳細案内図データへのリンク情報を複数有する広域地図データとを記憶する記憶手段と、
を有するサーバ装置および上記サーバ装置と上記ネットワークを介して通信する上記携帯端末によって上記詳細案内図データおよび上記広域地図データが提供される情報提供システムであって、
上記詳細案内図データにより案内される上記所定の施設の種類もしくは分類に関連する図案と共に二次元コードパターンが隙間の生じるように分割して印刷されたシートを備え、
上記二次元コードパターンの分割された部分もしくは全体を上記携帯端末で読み取ると、上記シートが設置される地域の周辺の地理を示す上記広域地図データであってその地図内に所在する所定の施設の所在地に連番の番号が描画される上記広域地図データと、その広域地図データ内に表示される複数の上記番号と上記施設の名称とを対応付けたリストとが上記サーバ装置から上記携帯端末へ送信されることを特徴とする情報提供システム。
【請求項４】
請求項３に記載の情報提供システムにおいて、
前記二次元コードパターンの分割された部分もしくは全体が、ビルの屋上から吊り下げられる垂れ幕に印刷されて構成されていることを特徴とする情報提供システム。
【手続補正２】
【補正対象書類名】明細書
【補正対象項目名】発明の名称
【補正方法】変更
【補正の内容】
【発明の名称】二次元コードを有するシート、情報提供システム
【手続補正３】
【補正対象書類名】明細書
【補正対象項目名】０００１
【補正方法】変更
【補正の内容】
【０００１】
本発明は、二次元コードを有するシート、情報提供システムに関する。
【手続補正４】
【補正対象書類名】明細書
【補正対象項目名】０００８
【補正方法】変更
【補正の内容】
【０００８】
本発明は、二次元コードを見るだけで、その二次元コードをデコードすることで得られる情報の概略を把握することができる二次元コードを有するシート、情報提供システムを提供することを目的とする。
【手続補正５】
【補正対象書類名】明細書
【補正対象項目名】０００９
【補正方法】変更
【補正の内容】
【０００９】
本発明に係る二次元コードを有するシートは、詳細案内図データにより案内される所定の施設の種類もしくは分類に関連する図案と共に二次元コードパターンが隙間の生じるように分割して印刷されており、二次元コードパターンの分割された部分もしくは全体を携帯端末で読み取ると、設置される地域の周辺の地理を示す広域地図データであってその地図内に所在する所定の施設の所在地に連番の番号が描画される広域地図データと、その広域地図データ内に表示される複数の番号と施設の名称とを対応付けたリストとを有するサーバ装置から、広域地図データおよびリストが携帯端末へ送信されるように要求する情報がコード化されているものである。
【手続補正６】
【補正対象書類名】明細書
【補正対象項目名】００１０
【補正方法】変更
【補正の内容】
【００１０】
この構成を採用すれば、地域案内板に設置された二次元コードのパターンを見た人は、その二次元コードのパターンとともにシートに印刷されている図案に基づいて、その二次元コードのパターンをデコードすることで得られる情報の種類や分類、すなわち概略を把握することができる。また、この構成を採用すると、二次元コードパターンの使用方法の多様性が増すとともに、デザインの多様性が増すこととなる。
【手続補正７】
【補正対象書類名】明細書
【補正対象項目名】００１１
【補正方法】変更
【補正の内容】
【００１１】
また、上述した二次元コードを有するシートは、二次元コードパターンの分割された部分もしくは全体が、ビルの屋上から吊り下げられる垂れ幕に印刷されて構成されていることが好ましい。
【手続補正８】
【補正対象書類名】明細書
【補正対象項目名】００１２
【補正方法】変更
【補正の内容】
【００１２】
この構成を採用すれば、ビルの屋上から吊り下げられる垂れ幕に印刷された二次元コードのパターンを見た人は、その二次元コードのパターンとともにシートに印刷されている図案に基づいて、その二次元コードのパターンをデコードすることで得られる情報の種類や分類、すなわち概略を把握することができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
本発明に係る情報提供システムは、ネットワークを介して表示部を有する携帯端末と通信する通信手段と、店舗、施設、構造物などの所定の施設への道案内図あるいは地域案内図を有する詳細案内図データと、詳細案内図データによる所定の施設の所在地が含まれる広域の地図、並びに、その地図内に所在する所定の施設の詳細案内図データへのリンク情報を複数有する広域地図データとを記憶する記憶手段と、を有するサーバ装置およびサーバ装置とネットワークを介して通信する携帯端末によって詳細案内図データおよび広域地図データが提供される情報提供システムであって、詳細案内図データにより案内される所定の施設の種類もしくは分類に関連する図案と共に二次元コードパターンが隙間の生じるように分割して印刷されたシートを備え、二次元コードパターンの分割された部分もしくは全体を携帯端末で読み取ると、シートが設置される地域の周辺の地理を示す広域地図データであってその地図内に所在する所定の施設の所在地に連番の番号が描画される広域地図データと、その広域地図データ内に表示される複数の番号と施設の名称とを対応付けたリストとがサーバ装置から携帯端末へ送信されるものである。
【手続補正２０】
【補正対象書類名】明細書
【補正対象項目名】００２４
【補正方法】削除
【補正の内容】
【手続補正２１】
【補正対象書類名】明細書
【補正対象項目名】００２６
【補正方法】変更
【補正の内容】
【００２６】
さらに、上述した二次元コードパターンの分割された部分もしくは全体が、ビルの屋上から吊り下げられる垂れ幕に印刷されて構成されていることが好ましい。